(57)【要約】  【課題】ヨーグルトやプリンなどの容器、特に外形が円形の容器におけるシール蓋とその開封方法に関し、幼児や高齢者などのような力の弱い者でも容易にかつ確実に開封操作が可能なシール蓋とシール蓋の開封方法を実現する。  【解決手段】容器のシール蓋に開封操作用の掴み代を有し、しかも該掴み代が２分されている容器において、先ず２分された片方の２分掴み代を摘んで部分的に開封した後、他方の２分掴み代を摘んで、残されたシール蓋部を開封することを特徴とする。【選択図】          図２
2006282262.tif 000002
【特許請求の範囲】
【請求項１】
容器のシール蓋の掴み代部に、該掴み代を２分する分離手段を設けてあることを特徴とする容器のシール蓋。
【請求項２】
前記の分離手段が、ほぼＶ字状の欠除部又は切り目若しくはミシン目であることを特徴とする請求項１に記載の容器のシール蓋。
【請求項３】
容器のシール蓋に開封操作用の掴み代を有し、しかも該掴み代が２分されている容器において、先ず２分された片方の２分掴み代を摘んで部分的に開封した後、他方の２分掴み代を摘んで、残されたシール蓋部を開封することを特徴とするシール蓋の開封方法。
【請求項４】
容器のシール蓋に開封操作用の掴み代を有する容器において、先ず該掴み代を２分してから、２分された片方の２分掴み代を摘んで部分的に開封した後、他方の２分掴み代を摘んで、残されたシール蓋部を開封することを特徴とするシール蓋の開封方法。  
【発明の詳細な説明】
【技術分野】
【０００１】
本発明は、ヨーグルトやプリンなどの容器、特に外形が円形の容器におけるシール蓋とその開封方法に関する。
【背景技術】
【０００２】
特開平８−258859号公報には、飲料用ヨーグルト等の飲料物やあられ等の固形物の包袋用に使用しても、内填物を飲用したり又は食したりするときに、飲み易い又は食し易い形状にでき、かつ未開封性を保障することができ、しかも既設の射出成形用金型を用いて製造することができ、蓋のシール強度のコントロールが不要なシール蓋付き容器が提案されている。
【０００３】
この容器は、図１のように、円形の容器１の開口縁に形成されているフランジ部２上にシール蓋３を接着することで封止（シール）している。そして、シール蓋３をフランジ部２から引き剥がして開封する際の摘まみ部となるように、摘まみ片（掴み代）４をシール蓋３と一体に形成してある。
【特許文献１】特開平８−258859
【発明の開示】
【発明が解決しようとする課題】
【０００４】
しかしながら、特に容器１が円形の場合は、このように、シール蓋３に摘まみ片となる掴み代４を設けただけでは、強力に接着されているシール蓋３をフランジ部２から引き剥がして開封するのに非常に大きな開封力を必要とし、特に幼児や高齢者などのような力の弱い者が開封する場合に不便である。
【０００５】
円形の容器１において掴み代４をフランジ部２から引き剥がす際の剥離作用を究明したところ、開封操作の最初に掴み代４を摘んで引き上げた際に、円形フランジ部２の接線方向５方向の広い範囲Ｗの領域において、フランジ部２との接着力に抗して、シール蓋３を引き剥がす必要があるので、大きな引き剥がし力を要する。また、掴み代４の近傍の領域が円形フランジ部２から引き剥がされたとしても、次いで矢印ａ１方向と矢印ａ２方向に同時に引き剥がしていく必要があるため、同時に左右両側を剥離させる必要がある。その結果、大きな剥離力を要するだけでなく、容器の外径が大きくなるほど、剥離操作が困難となり、幼児や高齢者には操作か困難となる。
【０００６】
本発明の技術的課題は、このような問題に着目し、幼児や高齢者などのような力の弱い者でも容易にかつ確実に開封操作が可能なシール蓋とシール蓋の開封方法を実現することにある。
【課題を解決するための手段】
【０００７】
本発明の技術的課題は次のような手段によって解決される。請求項１は、容器のシール蓋の掴み代部に、該掴み代を２分する分離手段を設けてあることを特徴とする容器のシール蓋である。このように、容器のシール蓋の掴み代部に、該掴み代を２分する分離手段を設けてあるため、シール蓋を開封する際に、該分離手段で掴み代を２分してから、先ず２分された片方の２分掴み代を摘んで部分的に開封した後、他方の２分掴み代を摘んで、残されたシール蓋部を開封するという、部分開封を２回行なうことによって、全体を開封完了できる。
【０００８】
請求項２は、前記の分離手段が、任意深さのほぼＶ字状の欠除部又は切り目若しくはミシン目であることを特徴とする請求項１に記載の容器のシール蓋である。このように、前記の分離手段が、ほぼＶ字状の欠除部になっていると、Ｖ字状欠除部の両側が掴み代になっていて、掴み代が二つ形成される。したがって、それぞれの２分掴み代を摘んで、２回に分けてシール蓋を開封すれば良いことが容易に理解できる。しかも、それぞれの２分掴み代が、Ｖ字状の欠除部を介して離れているので、それぞれの２分掴み代を摘んで開封する操作が便利である。
【０００９】
また、分離手段が切り目若しくはミシン目になっていると、２分されたそれぞれの掴み代を容易に目視判別しにくいという難点と別々に摘みにくいという難点はあるが、切り目若しくはミシン目を分離する動作の慣性を利用して、分離操作に引き続いてシール蓋自体の２分と開封操作が容易になる。
【００１０】
請求項３は、容器のシール蓋に開封操作用の掴み代を有し、しかも該掴み代が２分されている容器において、先ず２分された片方の２分掴み代を摘んで部分的に開封した後、他方の２分掴み代を摘んで、残されたシール蓋部を開封することを特徴とするシール蓋の開封方法である。
【００１１】
このように、請求項２のようなほぼＶ字状の欠除部によって掴み代が２分されている容器においては、先ず２分されている片方の２分掴み代を摘んで部分的に開封した後、他方の２分掴み代を摘んで、残されたシール蓋部を開封することができる。そのため、従来のように、円形の容器において、単一の掴み代を摘んで、容器の全周を一度に開封する場合に比べて、より小さな力で容易に確実に開封できる。つまり、請求項３の開封方法によると、２分された掴み代のそれぞれを別々に摘んで開封するので、シール蓋自体も２分されることになり、シール部分も片側半分ずつシール部を剥離して開封することができ、開封に要する力が半分以下となる。したがって、幼児や高齢者などのように力の弱い者でも、軽い力で楽にかつ確実に開封できる。
【００１２】
請求項４は、容器のシール蓋に開封操作用の掴み代を有する容器において、先ず該掴み代を２分してから、２分された片方の２分掴み代を摘んで部分的に開封した後、他方の２分掴み代を摘んで、残されたシール蓋部を開封することを特徴とするシール蓋の開封方法である。請求項２のＶ字状の欠除部によって、最初からシール蓋の該掴み代が２分されている場合は、それぞれの２分掴み代を摘んで開封操作するだけで足りるが、請求項２の切り目若しくはミシン目だけの場合は、請求項４のように、先ず最初に、切り目若しくはミシン目を引き裂いて掴み代を２分してから、２分された片方の２分掴み代を摘んで部分的に片側を開封することになる。
【００１３】
その後、残った他方の２分掴み代を摘んで、残されたシール蓋部を開封することによって、シール蓋全体の開封が可能となる。この場合は、請求項３の方法に比べて、切り目若しくはミシン目を引き裂いて掴み代を２分するという操作が加わるだけであって、開封操作に要する力が小さくてすみ、かつ軽い力で楽にかつ確実に開封できるので、幼児や高齢者などのように力の弱い者に適している点は共通する。
【発明の効果】
【００１４】
請求項１のように、容器のシール蓋の掴み代部に、該掴み代を２分する分離手段を設けてあるため、シール蓋を開封する際に、該分離手段で掴み代を２分してから、先ず２分された片方の２分掴み代を摘んで部分的に開封した後、他方の２分掴み代を摘んで、残されたシール蓋部を開封するという部分開封を２回行なうことによって、全体を開封完了できる。
【００１５】
請求項２のように、前記の分離手段が、ほぼＶ字状の欠除部になっていると、Ｖ字状欠除部の両側が掴み代になっていて、掴み代が二つ形成される。したがって、それぞれの２分掴み代を摘んで、２回に分けてシール蓋を開封すれば良いことが容易に理解できる。しかも、それぞれの２分掴み代が、Ｖ字状の欠除部を介して離れているので、それぞれの２分掴み代を摘んで開封する操作が便利である。
【００１６】
また、分離手段が切り目若しくはミシン目になっていると、２分されたそれぞれの掴み代を容易に目視判別しにくいという難点と別々に摘みにくいという難点はあるが、切り目若しくはミシン目を分離する動作の慣性を利用して、分離操作に引き続いてシール蓋自体の２分と開封操作が容易になる。
【００１７】
請求項２のようなほぼＶ字状の欠除部によって掴み代が２分されている容器においては、請求項３のように、先ず２分されている片方の２分掴み代を摘んで部分的に開封した後、他方の２分掴み代を摘んで、残されたシール蓋部を開封することができる。そのため、従来のように、円形の容器において、単一の掴み代を摘んで、容器の全周を一度に開封する場合に比べて、より小さな力で容易に確実に開封できる。
【００１８】
つまり、請求項３の開封方法によると、２分された掴み代のそれぞれを別々に摘んで開封するので、シール蓋自体も２分されることになり、シール部分も片側半分ずつシール部を剥離して開封することができ、開封に要する力が半分以下となる。したがって、幼児や高齢者などのように力の弱い者でも、軽い力で楽にかつ確実に開封できる。
【００１９】
請求項２の切り目若しくはミシン目をシール蓋に有する容器の場合は、先ず最初に、切り目若しくはミシン目を引き裂いて掴み代を２分してから、２分された片方の２分掴み代を摘んで部分的に片側を開封する。その後、残った他方の２分掴み代を摘んで、残されたシール蓋部を開封することによって、シール蓋全体の開封が可能となる。この場合は、請求項３の方法に比べて、切り目若しくはミシン目を引き裂いて掴み代を２分するという操作が加わるだけであって、開封操作に要する力が小さくてすみ、かつ軽い力で楽にかつ確実に開封できるので、幼児や高齢者などのように力の弱い者に適している点は共通する。
【発明を実施するための最良の形態】
【００２０】
次に本発明による容器のシール蓋とその開封方法が実際上どのように具体化されるか実施形態を説明する。図２は本発明による容器のシール蓋を実施した容器の斜視図である。本発明の場合は、図１に示す従来の掴み代４に、容器１の中央方向に向けてＶ字状に引っ込んだ切り欠き６を形成してある。その結果、図１の掴み代４がＶ字状切り欠き６によって２分され、二つの掴み代４１、４２が形成された格好になる。
【００２１】
このシール蓋３の開封に際しては、二つの掴み代４１、４２を別々に操作して、シール蓋３を引き剥がすことになる。すなわち、先ず最初に、片方の掴み代４１をフランジ部２から引き上げて、フランジ部２から引き剥がしていくと、Ｖ字状の切り欠き６の最も深い部分において、シール蓋３が他方の掴み代４２側から引き裂かれ、さらに引き上げると、実線７で示すように、シール蓋３がさらに破断されかつ開封されていく。同時に、掴み代４１側のみ、フランジ部２から、矢印ａ１方向に向けて次第に剥離されていく。
【００２２】
さらに引き剥がしていくと、シール蓋３の破断部７は、矢印ａ３方向に延びて、シール蓋３の一端から他端まで破断されることになる。同時に、矢印ａ１方向の剥離部も矢印ａ１方向に進行して、最終的にフランジ部２の半周が剥離されることになる。こうして、フランジ部２の半分のシール蓋３が引き剥がされたら、次いで残りの掴み代４２を摘んで引き剥がすと、シール蓋３の残った領域が全部、フランジ部２から引き剥がされる。このときも、掴み代４２の近傍から先に引き剥がされ、次第に矢印ａ２の方向に向かって、フランジ部２に沿って引き剥がされることになる。
【００２３】
このように、図１の掴み代４を２分して、二つの掴み代４１、４２を形成して、別々に引き剥がし操作すれば、掴み代４１、４２による最初の引き剥がし操作は、円形容器の接線方向の広い領域を引き剥がす必要はなく、フランジ部２の幅にわたる狭い領域のみ剥離すれば足りるので、幼児や高齢者でも容易にシール蓋を引き剥がすことが可能となる。初めに掴み代４１を引き剥がす際に、シール蓋３を破断する必要があるので、その破断操作のための力が必要となるが、その力は極めて小さい。従って、掴み代４を２分したことで、開封操作は２度行なう必要はあるが、幼児や高齢者でも開封操作可能な小さな力で足りる。
【００２４】
図３は、Ｖ字状切り欠き６の他の実施形態である。図２のＶ字状切り欠き６は、フランジ部２の外周部に接するまで深く形成してあるのに対し、図３の切り欠き６１は、フランジ部２の外周部２１に接しないように、浅い切り欠きになっている。このように、切り欠きが浅い場合は、片方の掴み代４２を左手の指で挟んで保持した状態で、右手で他方の掴み代４１を引き上げることによって、掴み代４１を左側の掴み代４２から引き裂いて分離させる。引き続いて、掴み代４１を摘んで、フランジ部２から引き剥がす操作をすると、以後は図２の場合と同様にして、片側半分がフランジ部２から剥離させる。次いで、残った掴み代４２を引き剥がして、残りのシール蓋３をフランジ部２から剥離させる。
【００２５】
これに対し図２の場合は、Ｖ字状の切り欠き６が、フランジ部２の外周部に到達するように深く形成されているため、二つの掴み代４１、４２が一体となって撓む部分が存在せず、安定性が良いので、他方の掴み代４２を手で持って支えなくても、右側の掴み代４１のみを操作して、円滑かつ確実にフランジ部２から引き剥がすことができ、操作性が優っている。
【００２６】
図４、図５は、Ｖ字状の切り欠き６・６１を設けない実施形態である。図１の従来の掴み代４と外観は似ているが、掴み代４１と４２とに２分するための切り目８を設けてある。この切り目８も、フランジ部２に届かないように、途中まで設けて、開封時に掴み代４１と４２とを完全に切り離してから、フランジ部２から剥離してもよいが、図示のように、フランジ部２の外周部２１に到達するような深い切り目にしておくと、片手だけで片方の掴み代４１又は４２だけを指で摘んで開封操作できる。
【００２７】
図５は、切り目８にしないで、ミシン目９を設けた実施形態である。切り目８にすると、二つの掴み代４１と４２は、最初から完全に２分されているのに対し、ミシン目９の場合は、掴み代４１、４２は一体になっている。開封に際しては、掴み代４１と４２をそれぞれ両手に持って、ミシン目９を引き裂いてから、片方の掴み代４１だけを指で摘んで、フランジ部２から引き剥がす。このようにミシン目９が有る場合は、ミシン目９の分離操作に引き続いて、連続操作で、フランジ部２からの剥離が可能となるので、ミシン目９の分離操作の慣性を利用して、開封のための剥離操作が可能となる。
【００２８】
シール蓋３の材質はいろいろ実用化されており、例えばアルミ箔などの場合は、図２の引き裂き部７のように、容易に破れるが、合成樹脂シートの場合は、引っ張り力が強いため、容易に破れない場合が多い。このような場合でも、開封操作開始時に掴み代４１を引き剥がすと同時に、矢印ａ１方向にフランジ部２に沿って掴み代４１を引き剥がしていくと、最終的に他方の掴み代４２の部分まで、全周を剥離することもできる。なお、本発明は、特に円形の容器に有効であるが、円形に限られない。
【産業上の利用可能性】
【００２９】
以上のように、従来の掴み代を２分して二つの掴み代を形成ておけば、片方の掴み代のみを引き剥がしていく際の引き剥がし面積が小さいので、幼児や高齢者でも小さな力で容易に確実にシール蓋を引き剥がすことができ、ユニバーサルデザインの精神に寄与できる。
【図面の簡単な説明】
【００３０】
【図１】従来の円形容器におけるシール蓋の掴み代を示す斜視図である。
【図２】本発明によるＶ字状切り欠きシール蓋を実施した容器を示す斜視図である。
【図３】Ｖ字状切り欠きの他の実施形態を示す要部平面図である。
【図４】Ｖ字状切り欠きに代えて切り目を入れた実施形態の要部平面図である。
【図５】切り目に代えてミシン目を入れた実施形態の要部平面図である。
【符号の説明】
【００３１】
１  円形容器
２  フランジ部    
２１  フランジ部外周    
３  シール蓋
４  掴み代    
５  接線  
６  Ｖ字状切り欠き
４１・４２  ２分された掴み代
７  引き裂き部
８  切り目
９  ミシン目
【図１】
2006282262.tif 000003
【図２】
2006282262.tif 000004
【図３】
2006282262.tif 000005
【図４】
2006282262.tif 000006
【図５】
2006282262.tif 000007